【手続補正書】
【提出日】平成20年7月18日(2008.7.18)
【手続補正１】
【補正対象書類名】明細書
【補正対象項目名】特許請求の範囲
【補正方法】変更
【補正の内容】
【特許請求の範囲】
【請求項１】  通信回線を介して受信側に映像信号の伝送を行う映像伝送装置に用いられる映像信号符号化装置であって、
複数チャンネルの映像信号の入力を受け、いずれか１チャンネルを選択して出力する映像信号選択出力手段と、
前記出力された映像信号を圧縮符号化してパケットデータを得るパケットデータ生成手段と、
前記パケットデータを一時蓄積する送信用バッファと、
前記送信用バッファ内の前記パケットデータを送信する送信手段と、
前記受信側から入力する制御情報に基づき前記送信用バッファを制御する送信用バッファ制御手段とを備え、
前記映像信号選択出力手段の選択の動作は、前記制御情報に基づき行われ、
前記送信用バッファ制御手段は、前記制御情報の入力を受けると、
それまでに前記送信用バッファに一時蓄積されていたパケットデータを破棄し、前記送信用バッファの蓄積容量を変更する映像信号符号化装置。
【請求項２】  前記パケットデータ生成手段は前記制御情報に基づき前記圧縮符号化時の出力ビットレートを変更する請求項１に記載の映像信号符号化装置。
【請求項３】  前記パケットデータ生成手段は前記制御情報に基づき前記圧縮符号化時の出力フレームレートを変更する請求項１に記載の映像信号符号化装置。
【請求項４】  通信回線を介して送信側からデータを受信して、複数チャンネルの映像信号からいずれか１チャンネルの映像信号を得る映像受信装置に用いられる映像信号復号化装置であって、
前記送信側から受信する映像信号のチャンネルを選択するチャンネル選択手段と、
前記チャンネル選択手段の選択動作に基づく選択情報を生成する選択情報生成手段と、
前記送信側から前記データを受信するデータ受信手段と、
前記データ受信手段により受信されたデータを一時蓄積する受信用バッファと、
前記受信用バッファに一時蓄積されたデータを読み出すデータ読み出し手段と、
前記データ読み出し手段から読み出されたデータからパケットデータを読み出して復号化を行い、映像信号を生成する復号化手段と、
前記制御情報に基づき、前記受信用バッファを制御する受信用バッファ制御手段とを備え、
前記受信用バッファ制御手段は、前記制御情報の入力を受けると、
それまでに前記受信用バッファに一時蓄積されていたパケットデータを消去し、前記受信用バッファの蓄積容量を変更する映像信号復号化装置。
【請求項５】  前記選択情報を前記送信側へ送信する選択情報送信手段を備えた請求項４に記載の映像信号復号化装置。
【請求項６】  前記送信側は請求項１に記載の映像信号符号化装置を有し、
前記映像信号符号化装置は、前記選択情報送信手段から送信された前記選択情報に基づき動作を行う請求項５に記載の映像信号復号化装置。
【請求項７】  通信回線を介して映像の伝送を行う第１装置と、前記第１装置から前記映像を得る第２装置とを有する映像伝送システムにおいて、
前記第１装置は、
複数チャンネルの映像信号の入力を受け、前記第２装置から入力される制御情報に基づき、いずれか１チャンネルを選択して出力する映像信号選択出力手段と、
前記映像信号選択出力手段から出力された信号を圧縮符号化してパケットデータを得るパケットデータ生成手段と、
前記制御情報に基づき、前記パケットデータのサイズの情報をデータサイズ情報として生成するデータサイズ情報生成手段と、
前記データサイズ情報を有する判別パケットを生成する判別パケット生成手段と、
前記パケットデータおよび前記判別パケットを送信する送信手段とを有し、
前記第２装置は、
前記送信側から受信する映像信号のチャンネルを選択するチャンネル選択手段と、
前記チャンネル選択手段の選択動作に基づき前記選択情報を生成する選択情報生成手段と、
前記選択情報を前記送信側へ送信する選択情報送信手段と、
前記パケットデータおよび前記判別パケットを受信するデータ受信手段と、
前記データ受信手段が受信した前記判別パケットから、前記データサイズ情報を抽出するデータサイズ情報抽出手段と、
前記データ受信手段が受信した前記パケットデータを一時蓄積する復号化バッファと、
前記復号化バッファに一時蓄積された前記パケットデータを復号する復号化手段と、
前記データサイズ抽出手段が抽出した前記判別パケットに含まれる前記データサイズ情報に基づき、前記復号化バッファを制御する復号化バッファ制御手段とを備え、
前記復号化バッファ制御手段は、前記データサイズ情報を取得すると、
前記復号化バッファの蓄積容量を、前記送信用パケットにあわせて変更する映像伝送システム。
【請求項８】  通信回線を介して映像の伝送を行う第１装置であって、
複数チャンネルの映像信号の入力を受け、前記第２装置から入力される制御情報に基づき、いずれか１チャンネルを選択して出力する映像信号選択出力手段と、
前記映像信号選択出力手段から出力された信号を圧縮符号化してパケットデータを得るパケットデータ生成手段と、
前記パケットデータのサイズの情報をデータサイズ情報として生成するデータサイズ情報生成手段と、
前記データサイズ情報を有する判別パケットを生成する判別パケット生成手段と、
前記パケットデータおよび前記判別パケットを送信する送信手段とを備え、
前記送信側から受信する映像信号のチャンネルを選択するチャンネル選択手段と、前記チャンネル選択手段の選択動作に基づき前記選択情報を生成する選択情報生成手段と、前記選択情報を前記送信側へ送信する選択情報送信手段と、前記パケットデータおよび前記判別パケットを受信するデータ受信手段と、前記データ受信手段が受信した前記判別パケットから、前記データサイズ情報を抽出するデータサイズ情報抽出手段と、前記データ受信手段が受信した前記パケットデータを一時蓄積する復号化バッファと、前記復号化バッファに一時蓄積された前記パケットデータを復号する復号化手段と、前記データサイズ抽出手段が抽出した前記判別パケットに含まれる前記データサイズ情報に基づき、前記復号化バッファを制御する復号化バッファ制御手段とを有する第２装置に前記パケットデータおよび前記判別パケットの送信を行い、
前記第２装置の前記復号化バッファ制御手段は、前記データサイズ情報を取得すると、前記復号化バッファの蓄積容量を、前記送信用パケットにあわせて変更する第１装置。
【請求項９】  通信回線を介して映像の伝送を行う第１装置から前記映像を得る第２装置であって、
前記送信側から受信する映像信号のチャンネルを選択するチャンネル選択手段と、
前記チャンネル選択手段の選択動作に基づき前記選択情報を生成する選択情報生成手段と、
前記選択情報を前記送信側へ送信する選択情報送信手段と、
前記パケットデータおよび前記判別パケットを受信するデータ受信手段と、
前記データ受信手段が受信した前記パケットデータを一時蓄積する復号化バッファと、
前記データ受信手段が受信した前記判別パケットから、前記データサイズ情報を抽出するデータサイズ情報抽出手段と、
前記復号化バッファに一時蓄積された前記パケットデータを復号する復号化手段と、
前記データサイズ抽出手段が抽出した前記判別パケットに含まれる前記データサイズ情報に基づき、前記復号化バッファを制御する復号化バッファ制御手段とを備え、
前記第１装置は、複数チャンネルの映像信号の入力を受け、前記第２装置から入力される制御情報に基づき、いずれか１チャンネルを選択して出力する映像信号選択出力手段と、前記映像信号選択出力手段から出力された信号を圧縮符号化してパケットデータを得るパケットデータ生成手段と、前記パケットデータのサイズの情報をデータサイズ情報として生成するデータサイズ情報生成手段と、前記データサイズ情報を有する判別パケットを生成する判別パケット生成手段と、
前記パケットデータおよび前記判別パケットを送信する送信手段とを有し、
前記復号化バッファ制御手段は、前記データサイズ情報を取得すると、
前記復号化バッファの蓄積容量を、前記送信用パケットにあわせて変更する第２装置。
【請求項１０】  通信回線を介して受信側に映像信号の伝送を行う映像伝送装置に用いられる映像信号符号化方法であって、
複数チャンネルの映像信号の入力を受け、いずれか１チャンネルを選択して出力する映像信号選択出力工程と、
前記出力された映像信号を圧縮符号化してパケットデータを得るパケットデータ生成工程と、
前記パケットデータを一時蓄積する送信用バッファ工程と、
前記送信用バッファ内の前記パケットデータを送信する送信工程と、
前記受信側から入力する制御情報に基づき前記送信用バッファ工程を制御する送信用バッファ制御工程とを備え、
前記映像信号選択出力工程における選択の動作は、前記制御情報に基づき行われ、
前記送信用バッファ制御工程は、前記制御情報の入力に基づき、それまでに前記送信用バッファに一時蓄積されていたパケットデータを破棄し、前記送信用バッファ工程の蓄積容量を変更する映像信号符号化方法。
【請求項１１】  通信回線を介して送信側からデータを受信して、複数チャンネルの映像信号からいずれか１チャンネルの映像信号を得る映像受信装置に用いられる映像信号復号化方法であって、
前記送信側から受信する映像信号のチャンネルを選択するチャンネル選択工程と、
前記チャンネル選択手段の選択動作に基づく選択情報を生成する選択情報生成工程と、
前記送信側から受信した前記データを一時蓄積する受信用バッファ工程と、
前記受信バッファに一時蓄積されたデータを読み出すデータ読み出し工程と、
前記データ読み出し工程にて読み出されたデータからパケットデータを読み出して復号化を行い、映像信号を生成する復号化工程と、
前記制御情報に基づき、前記受信用バッファ工程を制御する受信用バッファ制御工程とを備え、
前記受信用バッファ制御工程は、前記制御情報の入力に基づき、それまでに前記受信用バッファ工程にて一時蓄積されていたパケットデータを消去し、前記受信用バッファ工程の蓄積容量を変更する映像信号復号化方法。
【請求項１２】  前記選択情報を前記送信側へ送信する選択情報送信工程を備えた請求項１１に記載の映像信号復号化方法。
【請求項１３】  前記送信側は請求項１０に記載の映像信号符号化方法を用い、
前記映像信号符号化方法は、前記選択信号送信工程により送信された前記選択信号に基づき実行される請求項１２に記載の映像信号復号化方法。
【請求項１４】  通信回線を介して映像の伝送および受信を行う映像伝送方法において、
複数チャンネルの映像信号の入力を受け、制御情報に基づき、いずれか１チャンネルを選択して出力する映像信号選択出力工程と、
前記映像信号選択出力手段から出力された信号を圧縮符号化してパケットデータを得るパケットデータ生成工程と、
前記制御情報に基づき、前記パケットデータのサイズの情報をデータサイズ情報として生成するデータサイズ情報生成工程と、
前記データサイズ情報を有する判別パケットを生成する判別パケット生成工程と、
前記パケットデータおよび前記判別パケットを送信する送信工程と、
前記映像信号選択出力工程において１チャンネルを選択するチャンネル選択工程と、
前記チャンネル選択工程の選択動作に基づき前記選択情報を生成する選択情報生成工程と、
前記選択情報を送信する選択情報送信工程と、
前記パケットデータおよび前記判別パケットを受信するデータ受信工程と、
前記データ受信手段が受信した前記パケットデータを一時蓄積する復号化バッファ工程と、
前記データ受信手段が受信した前記判別パケットから、前記データサイズ情報を抽出するデータサイズ情報抽出工程と、
前記復号化バッファ工程にて一時蓄積された前記パケットデータを復号する復号化工程と、
前記データサイズ抽出工程により抽出された、前記判別パケットに含まれる前記データサイズ情報に基づき、前記復号化バッファを制御する復号化バッファ制御工程とを備え、
前記復号化バッファ制御工程は、前記データサイズ情報に基づき、前記復号化バッファ工程の蓄積容量を、前記送信用パケットにあわせて変更する映像伝送方法。
【請求項１５】  請求項１に記載の映像信号符号化装置の、複数チャンネルの映像信号の入力を受け、いずれか１チャンネルを選択して出力する映像信号選択出力手段と、前記出力された映像信号を圧縮符号化してパケットデータを得るパケットデータ生成手段と、前記パケットデータを一時蓄積する送信用バッファと、前記送信用バッファ内の前記パケットデータを送信する送信手段と、前記受信側から入力する制御情報に基づき前記送信用バッファを制御する送信用バッファ制御手段としてコンピュータを機能させるためのプログラム。
【請求項１６】  請求項４に記載の映像信号復号化装置の、前記送信側から受信する映像信号のチャンネルを選択するチャンネル選択手段と、前記チャンネル選択手段の選択動作に基づく選択情報を生成する選択情報生成手段と、前記送信側から前記データを受信するデータ受信手段と、前記データ受信手段により受信されたデータを一時蓄積する受信用バッファと、前記受信バッファに一時蓄積されたデータを読み出すデータ読み出し手段と、前記データ読み出し手段から読み出されたデータからパケットデータを読み出して復号化を行い、映像信号を生成する復号化手段と、前記制御情報に基づき、前記受信用バッファを制御する受信用バッファ制御手段とをコンピュータに機能させるためのプログラム。
【請求項１７】  請求項８に記載の第１装置の、複数チャンネルの映像信号の入力を受け、前記第２装置から入力される制御情報に基づき、いずれか１チャンネルを選択して出力する映像信号選択出力手段と、前記映像信号選択出力手段から出力された信号を圧縮符号化してパケットデータを得るパケットデータ生成手段と、前記パケットデータのサイズの情報をデータサイズ情報として生成するデータサイズ情報生成手段と、前記データサイズ情報を有する判別パケットを生成する判別パケット生成手段と、前記パケットデータおよび前記判別パケットを送信する送信手段とをコンピュータに機能させるためのプログラム。
【請求項１８】  請求項９に記載の第２装置の、前記送信側から受信する映像信号のチャンネルを選択するチャンネル選択手段と、前記チャンネル選択手段の選択動作に基づき前記選択情報を生成する選択情報生成手段と、前記選択情報を前記送信側へ送信する選択情報送信手段と、前記パケットデータおよび前記判別パケットを受信するデータ受信手段と、前記データ受信手段が受信した前記パケットデータを一時蓄積する復号化バッファと、前記データ受信手段が受信した前記判別パケットから、前記データサイズ情報を抽出するデータサイズ情報抽出手段と、前記復号化バッファに一時蓄積された前記パケットデータを復号する復号化手段と、前記データサイズ抽出手段が抽出した前記判別パケットに含まれる前記データサイズ情報に基づき、前記復号化バッファを制御する復号化バッファ制御手段とをコンピュータに機能させるためのプログラム。
【請求項１９】 請求項１５から１８のいずれかに記載のプログラムを記録した記録媒体であって、コンピュータにより処理可能な記録媒体。
【手続補正２】
【補正対象書類名】明細書
【補正対象項目名】００２０
【補正方法】変更
【補正の内容】
【００２０】
【課題を解決するための手段】
上記の目的を達成するために、第１の本発明は、通信回線を介して受信側に映像信号の伝送を行う映像伝送装置に用いられる映像信号符号化装置であって、
複数チャンネルの映像信号の入力を受け、いずれか１チャンネルを選択して出力する映像信号選択出力手段と、
前記出力された映像信号を圧縮符号化してパケットデータを得るパケットデータ生成手段と、
前記パケットデータを一時蓄積する送信用バッファと、
前記送信用バッファ内の前記パケットデータを送信する送信手段と、
前記受信側から入力する制御情報に基づき前記送信用バッファを制御する送信用バッファ制御手段とを備え、
前記映像信号選択出力手段の選択の動作は、前記制御情報に基づき行われ、
前記送信用バッファ制御手段は、前記制御情報の入力を受けると、
それまでに前記送信用バッファに一時蓄積されていたパケットデータを破棄し、前記送信用バッファの蓄積容量を変更する映像信号符号化装置である。
【手続補正３】
【補正対象書類名】明細書
【補正対象項目名】００２１
【補正方法】変更
【補正の内容】
【００２１】
また、第２の本発明は、前記パケットデータ生成手段は前記制御情報に基づき前記圧縮符号化時の出力ビットレートを変更する第１の本発明の映像信号符号化装置である。
【手続補正４】
【補正対象書類名】明細書
【補正対象項目名】００２２
【補正方法】変更
【補正の内容】
【００２２】
また、第３の本発明は、前記パケットデータ生成手段は前記制御情報に基づき前記圧縮符号化時の出力フレームレートを変更する第１の本発明の映像信号符号化装置である。
【手続補正５】
【補正対象書類名】明細書
【補正対象項目名】００２３
【補正方法】変更
【補正の内容】
【００２３】
また、第４の本発明は、通信回線を介して送信側からデータを受信して、複数チャンネルの映像信号からいずれか１チャンネルの映像信号を得る映像受信装置に用いられる映像信号復号化装置であって、
前記送信側から受信する映像信号のチャンネルを選択するチャンネル選択手段と、
前記チャンネル選択手段の選択動作に基づく選択情報を生成する選択情報生成手段と、
前記送信側から受信した前記データを一時蓄積する受信用バッファと、
前記受信バッファに一時蓄積されたデータを読み出すデータ読み出し手段と、
前記データ読み出し手段から読み出されたデータからパケットデータを読み出して復号化を行い、映像信号を生成する復号化手段と、
前記制御情報に基づき、前記受信用バッファを制御する受信用バッファ制御手段とを備え、
前記受信用バッファ制御手段は、前記制御情報の入力を受けると、
それまでに前記受信用バッファに一時蓄積されていたパケットデータを消去し、前記受信用バッファの蓄積容量を変更する映像信号復号化装置である。
【手続補正６】
【補正対象書類名】明細書
【補正対象項目名】００２４
【補正方法】変更
【補正の内容】
【００２４】
また、第５の本発明は、前記選択情報を前記送信側へ送信する選択情報送信手段を備えた第４の本発明の映像信号復号化装置である。
【手続補正７】
【補正対象書類名】明細書
【補正対象項目名】００２５
【補正方法】変更
【補正の内容】
【００２５】
また、第６の本発明は、前記送信側は第１の本発明の映像信号符号化装置を有し、
前記映像信号符号化装置は、前記選択信号送信手段から送信された前記選択信号に基づき動作を行う第５の本発明の映像信号復号化装置である。
【手続補正８】
【補正対象書類名】明細書
【補正対象項目名】００２６
【補正方法】変更
【補正の内容】
【００２６】
また、第７の本発明は、通信回線を介して映像の伝送を行う第１装置と、前記第１装置から前記映像を得る第２装置とを有する映像伝送システムにおいて、
前記第１装置は、
複数チャンネルの映像信号の入力を受け、前記第２装置から入力される制御情報に基づき、いずれか１チャンネルを選択して出力する映像信号選択出力手段と、
前記映像信号選択出力手段から出力された信号を圧縮符号化してパケットデータを得るパケットデータ生成手段と、
前記制御情報に基づき、前記パケットデータのサイズの情報をデータサイズ情報として生成するデータサイズ情報生成手段と、
前記データサイズ情報を有する判別パケットを生成する判別パケット生成手段と、
前記パケットデータおよび前記判別パケットを送信する送信手段とを有し、
前記第２装置は、
前記送信側から受信する映像信号のチャンネルを選択するチャンネル選択手段と、
前記チャンネル選択手段の選択動作に基づき前記選択情報を生成する選択情報生成手段と、
前記選択情報を前記送信側へ送信する選択情報送信手段と、
前記パケットデータおよび前記判別パケットを受信するデータ受信手段と、
前記データ受信手段が受信した前記判別パケットから、前記データサイズ情報を抽出するデータサイズ情報抽出手段と、
前記データ受信手段が受信した前記パケットデータを一時蓄積する復号化バッファと、
前記復号化バッファに一時蓄積された前記パケットデータを復号する復号化手段と、
前記データサイズ抽出手段が抽出した前記判別パケットに含まれる前記データサイズ情報に基づき、前記復号化バッファを制御する復号化バッファ制御手段とを備え、
前記復号化バッファ制御手段は、前記データサイズ情報を取得すると、
前記復号化バッファの蓄積容量を、前記送信用パケットにあわせて変更する映像伝送システム映像伝送システムである。
【手続補正９】
【補正対象書類名】明細書
【補正対象項目名】００２７
【補正方法】変更
【補正の内容】
【００２７】
また、第８の本発明は、通信回線を介して映像の伝送を行う第１装置であって、
複数チャンネルの映像信号の入力を受け、前記第２装置から入力される制御情報に基づき、いずれか１チャンネルを選択して出力する映像信号選択出力手段と、
前記映像信号選択出力手段から出力された信号を圧縮符号化してパケットデータを得るパケットデータ生成手段と、
前記パケットデータのサイズの情報をデータサイズ情報として生成するデータサイズ情報生成手段と、
前記データサイズ情報を有する判別パケットを生成する判別パケット生成手段と、
前記パケットデータおよび前記判別パケットを送信する送信手段とを備え、
前記送信側から受信する映像信号のチャンネルを選択するチャンネル選択手段と、前記チャンネル選択手段の選択動作に基づき前記選択情報を生成する選択情報生成手段と、前記選択情報を前記送信側へ送信する選択情報送信手段と、前記パケットデータおよび前記判別パケットを受信するデータ受信手段と、前記データ受信手段が受信した前記判別パケットから、前記データサイズ情報を抽出するデータサイズ情報抽出手段と、前記データ受信手段が受信した前記パケットデータを一時蓄積する復号化バッファと、前記復号化バッファに一時蓄積された前記パケットデータを復号する復号化手段と、前記データサイズ抽出手段が抽出した前記判別パケットに含まれる前記データサイズ情報に基づき、前記復号化バッファを制御する復号化バッファ制御手段とを有する第２装置に前記パケットデータおよび前記判別パケットの送信を行い、
前記第２装置の前記復号化バッファ制御手段は、前記データサイズ情報を取得すると、前記復号化バッファの蓄積容量を、前記送信用パケットにあわせて変更する第１装置である。
【手続補正１０】
【補正対象書類名】明細書
【補正対象項目名】００２８
【補正方法】変更
【補正の内容】
【００２８】
また、第９の本発明は、通信回線を介して映像の伝送を行う第１装置から前記映像を得る第２装置であって、
前記送信側から受信する映像信号のチャンネルを選択するチャンネル選択手段と、
前記チャンネル選択手段の選択動作に基づき前記選択情報を生成する選択情報生成手段と、
前記選択情報を前記送信側へ送信する選択情報送信手段と、
前記パケットデータおよび前記判別パケットを受信するデータ受信手段と、
前記データ受信手段が受信した前記パケットデータを一時蓄積する復号化バッファと、
前記データ受信手段が受信した前記判別パケットから、前記データサイズ情報を抽出するデータサイズ情報抽出手段と、
前記復号化バッファに一時蓄積された前記パケットデータを復号する復号化手段と、
前記データサイズ抽出手段が抽出した前記判別パケットに含まれる前記データサイズ情報に基づき、前記復号化バッファを制御する復号化バッファ制御手段とを備え、
前記第１装置は、複数チャンネルの映像信号の入力を受け、前記第２装置から入力される制御情報に基づき、いずれか１チャンネルを選択して出力する映像信号選択出力手段と、前記映像信号選択出力手段から出力された信号を圧縮符号化してパケットデータを得るパケットデータ生成手段と、前記パケットデータのサイズの情報をデータサイズ情報として生成するデータサイズ情報生成手段と、前記データサイズ情報を有する判別パケットを生成する判別パケット生成手段と、前記パケットデータおよび前記判別パケットを送信する送信手段とを有し、
前記復号化バッファ制御手段は、前記データサイズ情報を取得すると、
前記復号化バッファの蓄積容量を、前記送信用パケットにあわせて変更する第２装置である。
【手続補正１１】
【補正対象書類名】明細書
【補正対象項目名】００２９
【補正方法】変更
【補正の内容】
【００２９】
また、第１０の本発明は、通信回線を介して受信側に映像信号の伝送を行う映像伝送装置に用いられる映像信号符号化方法であって、
複数チャンネルの映像信号の入力を受け、いずれか１チャンネルを選択して出力する映像信号選択出力工程と、
前記出力された映像信号を圧縮符号化してパケットデータを得るパケットデータ生成工程と、
前記パケットデータを一時蓄積する送信用バッファ工程と、
前記送信用バッファ内の前記パケットデータを送信する送信工程と、
前記受信側から入力する制御情報に基づき前記送信用バッファ工程を制御する送信用バッファ制御工程とを備え、
前記映像信号選択出力工程における選択の動作は、前記制御情報に基づき行われ、
前記送信用バッファ制御工程は、前記制御情報の入力に基づき、それまでに前記送信用バッファに一時蓄積されていたパケットデータを破棄し、前記送信用バッファ工程の蓄積容量を変更する映像信号符号化方法である。
【手続補正１２】
【補正対象書類名】明細書
【補正対象項目名】００３０
【補正方法】変更
【補正の内容】
【００３０】
また、第１１の本発明は、通信回線を介して送信側からデータを受信して、複数チャンネルの映像信号からいずれか１チャンネルの映像信号を得る映像受信装置に用いられる映像信号復号化方法であって、
前記送信側から受信する映像信号のチャンネルを選択するチャンネル選択工程と、
前記チャンネル選択手段の選択動作に基づく選択情報を生成する選択情報生成工程と、
前記送信側から受信した前記データを一時蓄積する受信用バッファ工程と、
前記受信バッファに一時蓄積されたデータを読み出すデータ読み出し工程と、
前記データ読み出し工程にて読み出されたデータからパケットデータを読み出して復号化を行い、映像信号を生成する復号化工程と、
前記制御情報に基づき、前記受信用バッファ工程を制御する受信用バッファ制御工程とを備え、
前記受信用バッファ制御工程は、前記制御情報の入力に基づき、それまでに前記受信用バッファ工程にて一時蓄積されていたパケットデータを消去し、前記受信用バッファ工程の蓄積容量を変更する映像信号復号化方法である。
【手続補正１３】
【補正対象書類名】明細書
【補正対象項目名】００３１
【補正方法】変更
【補正の内容】
【００３１】
また、第１２の本発明は、前記選択情報を前記送信側へ送信する選択情報送信工程を備えた第１１の本発明の映像信号復号化方法である。
【手続補正１４】
【補正対象書類名】明細書
【補正対象項目名】００３２
【補正方法】変更
【補正の内容】
【００３２】
また、第１３の本発明は、前記送信側は第１０の本発明の映像信号符号化方法を用い、
前記映像信号符号化方法は、前記選択信号送信工程により送信された前記選択信号に基づき実行される第１２の本発明の映像信号復号化方法である。
【手続補正１５】
【補正対象書類名】明細書
【補正対象項目名】００３３
【補正方法】変更
【補正の内容】
【００３３】
また、第１４の本発明は、通信回線を介して映像の伝送および受信を行う映像伝送方法において、
複数チャンネルの映像信号の入力を受け、制御情報に基づき、いずれか１チャンネルを選択して出力する映像信号選択出力工程と、
前記映像信号選択出力手段から出力された信号を圧縮符号化してパケットデータを得るパケットデータ生成工程と、
前記制御情報に基づき、前記パケットデータのサイズの情報をデータサイズ情報として生成するデータサイズ情報生成工程と、
前記データサイズ情報を有する判別パケットを生成する判別パケット生成工程と、
前記パケットデータおよび前記判別パケットを送信する送信工程と、
前記映像信号選択出力工程において１チャンネルを選択するチャンネル選択工程と、
前記チャンネル選択工程の選択動作に基づき前記選択情報を生成する選択情報生成工程と、
前記選択情報を送信する選択情報送信工程と、
前記パケットデータおよび前記判別パケットを受信するデータ受信工程と、
前記データ受信手段が受信した前記パケットデータを一時蓄積する復号化バッファ工程と、
前記データ受信手段が受信した前記判別パケットから、前記データサイズ情報を抽出するデータサイズ情報抽出工程と、
前記復号化バッファ工程にて一時蓄積された前記パケットデータを復号する復号化工程と、
前記データサイズ抽出工程により抽出された、前記判別パケットに含まれる前記データサイズ情報に基づき、前記復号化バッファを制御する復号化バッファ制御工程とを備え、
前記復号化バッファ制御工程は、前記データサイズ情報に基づき、前記復号化バッファ工程の蓄積容量を、前記送信用パケットにあわせて変更する映像伝送方法である。
【手続補正１６】
【補正対象書類名】明細書
【補正対象項目名】００３４
【補正方法】変更
【補正の内容】
【００３４】
また、第１５の本発明は、第１の本発明の映像信号符号化装置の、複数チャンネルの映像信号の入力を受け、いずれか１チャンネルを選択して出力する映像信号選択出力手段と、前記出力された映像信号を圧縮符号化してパケットデータを得るパケットデータ生成手段と、前記パケットデータを一時蓄積する送信用バッファと、前記送信用バッファ内の前記パケットデータを送信する送信手段と、前記受信側から入力する制御情報に基づき前記送信用バッファを制御する送信用バッファ制御手段としてコンピュータを機能させるためのプログラムである。
【手続補正１７】
【補正対象書類名】明細書
【補正対象項目名】００３５
【補正方法】変更
【補正の内容】
【００３５】
また、第１６の本発明は、第４の本発明の映像信号復号化装置の、前記送信側から受信する映像信号のチャンネルを選択するチャンネル選択手段と、前記チャンネル選択手段の選択動作に基づく選択情報を生成する選択情報生成手段と、前記送信側から受信した前記データを一時蓄積する受信用バッファと、前記受信バッファに一時蓄積されたデータを読み出すデータ読み出し手段と、前記データ読み出し手段から読み出されたデータからパケットデータを読み出して復号化を行い、映像信号を生成する復号化手段と、前記制御情報に基づき、前記受信用バッファを制御する受信用バッファ制御手段とをコンピュータに機能させるためのプログラムである。
【手続補正１８】
【補正対象書類名】明細書
【補正対象項目名】００３６
【補正方法】変更
【補正の内容】
【００３６】
また、第１７の本発明は、第８の本発明の第１装置の、複数チャンネルの映像信号の入力を受け、前記第２装置から入力される制御情報に基づき、いずれか１チャンネルを選択して出力する映像信号選択出力手段と、前記映像信号選択出力手段から出力された信号を圧縮符号化してパケットデータを得るパケットデータ生成手段と、前記パケットデータのサイズの情報をデータサイズ情報として生成するデータサイズ情報生成手段と、前記データサイズ情報を有する判別パケットを生成する判別パケット生成手段と、前記パケットデータおよび前記判別パケットを送信する送信手段とをコンピュータに機能させるためのプログラムである。
【手続補正１９】
【補正対象書類名】明細書
【補正対象項目名】００３７
【補正方法】変更
【補正の内容】
【００３７】
また、第１８の本発明は、第９の本発明の第２装置の、前記送信側から受信する映像信号のチャンネルを選択するチャンネル選択手段と、前記チャンネル選択手段の選択動作に基づき前記選択情報を生成する選択情報生成手段と、前記選択情報を前記送信側へ送信する選択情報送信手段と、前記パケットデータおよび前記判別パケットを受信するデータ受信手段と、前記データ受信手段が受信した前記パケットデータを一時蓄積する復号化バッファと、前記データ受信手段が受信した前記判別パケットから、前記データサイズ情報を抽出するデータサイズ情報抽出手段と、前記復号化バッファに一時蓄積された前記パケットデータを復号する復号化手段と、前記データサイズ抽出手段が抽出した前記判別パケットに含まれる前記データサイズ情報に基づき、前記復号化バッファを制御する復号化バッファ制御手段とをコンピュータに機能させるためのプログラムである。
【手続補正２０】
【補正対象書類名】明細書
【補正対象項目名】００３８
【補正方法】変更
【補正の内容】
【００３８】
また、第１９の本発明は、第１５から１８の本発明のいずれかのプログラムを記録した記録媒体であって、コンピュータにより処理可能な記録媒体である。
【手続補正２１】
【補正対象書類名】明細書
【補正対象項目名】００３９
【補正方法】削除
【補正の内容】
【手続補正２２】
【補正対象書類名】明細書
【補正対象項目名】００４０
【補正方法】削除
【補正の内容】
【手続補正２３】
【補正対象書類名】明細書
【補正対象項目名】００４１
【補正方法】削除
【補正の内容】
【手続補正２４】
【補正対象書類名】明細書
【補正対象項目名】００５７
【補正方法】変更
【補正の内容】
【００５７】
図２において、本実施の形態の映像信号符号化装置は、ＴＶチューナー１１において、複数のチャンネルのＴＶ映像信号から所望のＴＶチャンネルの信号の選択、および選択された信号の復調処理が行われてアナログ映像信号が出力される。このときＴＶチューナーのチャンネル選択動作は、後述する受信側からの制御情報に基づく、チューナー制御手段１０から制御により行われる。アナログ映像信号はコンピューター等でデジタル処理が行えるようにＡ／Ｄ変換手段１２でデジタル映像信号に変換される。
【手続補正２５】
【補正対象書類名】明細書
【補正対象項目名】００７４
【補正方法】変更
【補正の内容】
【００７４】
以上のような構成を有する、映像伝送システムの動作を説明するとともに、本発明の映像伝送方法、第１装置および第２装置の動作の一実施の形態について説明を行う。ただし実施の形態１，２と重複する部分は省略して、相違点を中心に述べる。
【手続補正２６】
【補正対象書類名】明細書
【補正対象項目名】００７６
【補正方法】変更
【補正の内容】
【００７６】
映像信号復号化装置から通信路を介して制御情報が送信されてくると、制御情報受信手段１９はこれを受信し、チューナー制御手段１０、符号化手段１３、送信バッファ制御手段１８に対して出力する。このとき、制御情報の内容は、実施の形態１と同様のものである。
【手続補正２７】
【補正対象書類名】明細書
【補正対象項目名】０１００
【補正方法】変更
【補正の内容】
【０１００】
実施の形態３の映像伝送システムにおける映像信号復号化装置では、この判別パケットを受信すると、格納されているデータサイズ情報に応じてバッファメモリの容量を変更する。すなわちパケットデータＡのデータサイズがちょうど収まる分だけの容量にバッファメモリ容量を変更する。